(57)【要約】【課題】全体としてそれほど重くなく、高い所まで使用でき、使用し易く、それでいて、蜘蛛の巣を完全に除去し得る蜘蛛の巣掻き取り器を提供する。【解決手段】操作用の棒（柄）１を、複数本のパイプ１−１、１−２、・・・、１−５を連結して伸縮自在に構成するとともに、無数の鉤片３ａを表面に有する面ファスナーシート３ｂを裏面側に折り曲げて、その端部３ｃを、差し込み棒５に取り付けた挟み具４で挟んで蜘蛛の巣除去部２を構成し、差し込み棒５をパイプ１−１の先端１ａにさしこみ、棒１に蜘蛛の巣除去部２を装着して蜘蛛の巣掻き取り器とする。【選択図】  図１
0003130327.tif 000002
【実用新案登録請求の範囲】
【請求項１】
伸縮自在な操作用の棒と、基体の表面に先の曲がった鉤片が無数に形成され、前記棒の先端に装着された蜘蛛の巣除去部とからなる蜘蛛の巣掻き取り器。
【請求項２】
前記操作棒はパイプ状に構成され、かつ前記蜘蛛の巣除去部の基体下部に差し込棒を設け、この差し込み用棒により、前記操作用棒の先端に差し込み可能とし、前記蜘蛛の巣除去部を脱着自在としたことを特徴とする請求項１記載の蜘蛛の巣掻き取り器。
【請求項３】
前記操作棒はパイプ状に構成され、かつ前記蜘蛛の巣除去部の基体下部にパイプ状の棒を設け、このパイプ状の棒を前記操作用棒の先端に差し込み可能とし、あるいはこのパイプ状の棒に前記操作用棒の先端を差し込み可能とし、前記操作用棒に前記蜘蛛の巣除去部を脱着自在としたことを特徴とする請求項１記載の蜘蛛の巣掻き取り器。
【請求項４】
前記基体は、前記差し込み用棒の非差し込み側に挟み具を設け、この挟み具により、蜘蛛の巣除去本体を装着可能としたことを特徴とする請求項２又は３記載の蜘蛛の巣掻き取り器。
【請求項５】
前記蜘蛛の巣除去部は、表面に先の曲がった鉤片を持つ面ファスナーシートで構成したことを特徴とする請求項１、請求項２、請求項３又は請求項４記載の蜘蛛の巣掻き取り器。
【請求項６】
前記挟み具の前記蜘蛛の巣除去部本体を挟み込む挟み片の内面に横方向に複数の凹凸線を形成したことを特徴とする請求項４、又は請求項５記載の蜘蛛の巣掻き取り器。
【請求項７】
前記挟み具の挟み片の内面に表面に無数のループ片を持つ面ファスーナシートを配備し、このループ片を持つ面ファスナーシートを介して、前記鉤片を持つ面ファスナーシートで形成した蜘蛛の巣除去部を装着するようにしたことを特徴とする請求項５又は請求項６記載の蜘蛛の巣掻き取り器。
【考案の詳細な説明】
【技術分野】
【０００１】
この考案は、住宅や、その他建築施設の軒下、天井、壁などの蜘蛛の巣を除去する蜘蛛の巣掻き取り器に関する。
【背景技術】
【０００２】
近年、住宅団地や企業団地の開発により、山や森の近くに、住宅や企業の建物が建ち、これらの住宅、建物の軒下、天井、壁などに蜘蛛の巣が張られ、住宅、建物の立地場所によっては、ひんぱんに除去を迫られることが多い。
【０００３】
従来、蜘蛛の巣の除去には、はたきや、竹ホウキなどを用いて、行っているのが通常である。また、これまでに、清掃時にススや蜘蛛の巣を細部に渡って取り去るために、柄の内部先端にモータを取付け、巻き取り棒の下端をモータの回転軸に連結管をもって固定し、柄の内部に電池を設け、柄の外部にスイッチを設けた蜘蛛の巣取り機（例えば特許文献１参照）や、衛生的に後処理を、機能的に行い得るようにプラスチックの柄にティッシュペーパーを取り付けた使い捨てタイプのハタキ（例えば特許文献２参照）が開示されている。
【特許文献１】登録実用新案第３０１３８３６号公報
【特許文献２】登録実用新案第３０１３５８８号公報
【考案の開示】
【考案が解決しようとする課題】
【０００４】
２階立以上の住宅や従来の建物では、蜘蛛の巣の張られる場所によっては、単なるハタキやホウキなどでは除去しにくい。たまたま苦労して除去しても、山や森に近い場所では、除去する後から蜘蛛の巣が張られ、蜘蛛の巣を徹底して除去できず家庭で家の人や、企業などで従業員が清掃の都度、除去するのも骨の折れることである。
【０００５】
また。上記開示の器具を使用することも可能であるが、特許文献１に記載のものは、先端が棒なので隅の蜘蛛の巣くずなどは、取りにくく、また電池、モータ等を備えるものであり、器具自体が重くなる上に、電池の取り替えなどのメンテナンスも必要である。
【０００６】
また、特許文献２に記載のものは、衛生的な機能面は期待できるものの除去部にティッシュペーパーを使用するので、強度の点及び隅にこびりついた蜘蛛の巣を完全に除去できないという問題がある。
【０００７】
この考案は、上記問題点に着目してなされたものであって、全体としてそれほど重くなく、高い所まで使用でき、使用し易く、それでいて、どこに張られた蜘蛛の巣でも完全に除去し得る蜘蛛の巣掻き取り器を提供することを目的とする。
【課題を解決するための手段】
【０００８】
この考案の蜘蛛の巣掻き取り器は、伸縮自在な操作用の棒と、基体の表面に先の曲がった鉤片が無数に形成され、前記棒の先端に装着された蜘蛛の巣除去部とから構成されている。
【０００９】
この考案の蜘蛛の巣掻き取り器において、前記操作用の棒はパイプ状に構成され、前記蜘蛛の巣除去部の基体下部に差し込み用棒を設け、この差し込み用棒により、前記操作用棒の先端に差し込み可能とし、前記蜘蛛の巣除去部を脱着自在としてもよい。
【００１０】
また、この考案の蜘蛛の巣掻き取り器において、前記操作用の棒はパイプ状に構成され、かつ前記蜘蛛の巣除去部の基体下部にパイプ状の棒を設け、このパイプ状の棒を前記操作用棒の先端に差し込み可能とし、あるいはこのパイプ状の棒に前記操作用棒の先端を差し込み可能とし、前記操作用棒に前記蜘蛛の巣除去部を脱着自在としてもよい。
【００１１】
また、この考案の蜘蛛の巣掻き取り器において、前記基体は、前記差し込み用棒の非差し込み側に挟み具を設け、この挟み具により、蜘蛛の巣除去部の基体を装着可能としてもよい。
【００１２】
また、この考案の蜘蛛の巣掻き取り器において、前記蜘蛛の巣除去部は、好ましくは、表面に先の曲がった鉤片を持つ面ファスナーシートで構成するとよい。
【００１３】
また、この考案の蜘蛛の巣掻き取り器において、  前記挟み具の前記蜘蛛の巣除去部基体を挟み込む挟み片の内面に横方向に複数の凹凸線を形成してもよい。
【００１４】
また、この考案の蜘蛛の巣掻き取り器において、前記挟み具の挟み片の内面に、表面に無数のループ片を持つ面ファスナーシートを配備し、このループ片を持つ面ファスナーシートを介して、前記鉤片を持つ面ファスナーシートで形成した蜘蛛の巣除去部を装着するようにしてもよい。
【考案の効果】
【００１５】
この考案によれば、伸縮自在な操作用の棒と、基体の表面に先の曲がった鉤片が無数に形成され、棒に装着された蜘蛛の巣除去部とを備えているので、住宅、その他の建物の高所、軒下隅等どこに張られた蜘蛛の巣でも、また蜘蛛の巣の糸がこびりついたものなどどのような蜘蛛の巣も容易に掻きとることができる。
【考案を実施するための最良の形態】
【００１６】
以下、実施の形態により、この考案をさらに詳細に説明する。図１は、この考案の一実施形態である蜘蛛の巣掻き取り器を示す外観斜視図である。
【００１７】
この実施形態蜘蛛の巣掻き取り器は、長さを自在に調整可能な操作棒（柄）１と、この操作棒１の先端１ａに装着される蜘蛛の巣除去部２とから構成されている。
【００１８】
操作棒１は、太さの相違する複数のパイプ１−１、１−２、・・・、１−５が連結され、パイプ１−１がパイプ１−２に収納可能とされ、パイプ１−２はパイプ１−３に収納可能とされ、・・・さらにパイプ１−４はパイプ１−５に収納可能とされ、長さを最短（パイプ１−５の長さ）から、最長（図１に示す、パイプ１−１、１−２、・・・、１−５を全て伸張させた長さ；７ｍ）まで自由に調整できるように構成している。ここでは操作棒１の長さを７ｍにしているが、各パイプの長さを適宜選択設定し、あるいは連結するパイプの本数を変えることにより、他の必要な全長としてもよい。
【００１９】
蜘蛛の巣除去部２は、基体３と、基体３を挟んで装着する挟み具４と、この挟み具４に連結した差し込み棒５とから構成されている。差し込み棒５を、操作棒１の先端１ａのパイプ開口に差し込むことにより、蜘蛛の巣除去部２は、操作棒１の先端に装着される。なお、操作棒１に、差し込み棒５を装着した場合、装着後は、パイプ１−１の先端１ａ開口内で差し込み棒５が回転しないように、差し込み棒５の外周とパイプ１−１の先端開口１ａ内面に、それぞれ凹部、凸部を形成するなどの、回転防止機構を設けている。
【００２０】
基体３は、図２に示すように、表面に無数の先端が曲がった突片、つまり釣片３ａを形成した面ファスナーシート３ｂが使用されている。
【００２１】
挟み具４は、図３に示すように、２つの挟み片６、７とバネ８、軸９とで構成され、それ自体は、洗濯挟みや事務用の挟み（クリップ）と同様のものである。一方の挟み片６の下端が差し込み棒５に取り付けられている。挟み片６，７は、図４に示すように正面視上方部６ａ（７ａ）が横に広く、下方部６ｂ（７ｂ）が、幅狭の構造になっている。また挟み片６，（７）の上方部６ａ（７ａ）内面に凸状の横線１０が複数本形成されている。凸状の横線１０の間が凹溝１１となっている。
【００２２】
この実施形態では、挟み具４の挟み片６，７を開き、面ファスナーシートー３ｂの折り曲げ端３ｃを下方にして、挟み片６，７で挟み、装着する、挟み方６，７の上方部６ａ（７ａ）が横長である上、内面に横方向の凹凸線１０、１１があるので、面ファスナーシート３ｂは、上下方向及び左右方向に、しっかりと固定する。
【００２３】
この実施形態蜘の巣掻き取り器の使用に際しては、図５に示すように、例えば住宅の軒下２１に蜘の巣が張られている場合、軒下２１の偶２２に沿って、蜘蛛の巣除去部２の上辺を隅２２に沿わせて矢印方向に移動させる。又は蜘蛛の巣除去部２の先端を隅２２に向けて押し付け、全体を壁に押さえつけるようにして、下方に掻きすべらせる。あるいは、蜘蛛の巣除去部２の先端を奥隅２３に、全体が変形する程度に強く押し付け、下方に掻きすべらせる。などにより、頑固に張り巡らされているものは勿論、へばりついている蜘蛛の巣くずも、面ファスナーシート３ｂの鉤片３ａによって漏れなく掻き取ることができる。この蜘蛛の巣掻き取り時に、操作棒１と蜘蛛の巣除去部２の一方から他方に回転力が加わることがあっても、両者の挿着部に回転防止機構が設けてあるので、回転力が加わる方のみが空回転せず、他方に力が伝達され、蜘蛛の巣の掻き取りを確実に行うことができる。
【００２４】
なお、面ファスナーシート３ｂを安定かつ、しっかりと強固に挟み具４に取り付けるために図６に示すように、挟み片６，７の内面６ａ、７ａに表面にループ状突起（図示省略）を無数に形成した面ファスナーシート１２を、ループ状突起の形成面が内側に向く方向に折り曲げて装着する。面ファスナーシート１２の裏面と挟み片６、７の内面６ａ、７ａは接触させるだけでも、貼着した状態でもよい。この挟み片６、７を開いた状態で、面ファスナーシート３ｂを折り曲げてその端部３ｃを嵌めこみ、挟み片６、７を開いた状態から戻して面ファスナーシート３ｂを面ファスナーシート１２で挟み込む。面ファスナーシート３ｂと１２の接触面は、一方は鉤片３ａ、他方はループ片（図示省略）であるので文字通り面ファスナーとして機能し、基体３は挟み具４により強固に保持される。
【００２５】
この実施形態によれば、挟み具４の開閉によって蜘蛛の巣を掻き取る基体３つまり面ファスナーシート３ｂを容易に交換することができる。なお、他の実施形態として、挟み具４は、単なる固定具として使用し、面ファスナーシートは、固定具、差し込み棒とで一体物とし、交換時は、面ファスナーシート、固定具、差し込み棒の一体物を交換するようにしてもよい。
【００２６】
又、上記実施形態で使用する挟み具は、図３に示すものに限らず、たとえば図７に示すようにプラスチック材で形成される挟み片１６、１７と、リング状の金属バネ１８と、からなるもの等、その他の構造の挟み具を用いてもよい。
【００２７】
又、上記実施形態では、差し込み棒５は、パイプ１−１の先端１ａに差し込むようにしているが、差し込み棒５をパイプ状に形成し、この差し込み棒５のパイプ穴に、パイプ１−１の先端１ａの外周を差し込むようにしてもよい。また、パイプ状の差し込み棒5の先端外周を、パイプ１−１の先端１ａの開口内に挿入してもよい。いずれの場合においても、挿着部に、上記した回転防止機構を設けると良い。又、上記実施形態は、蜘蛛の巣除去部の基体に鉤片付きの面ファスナーシートを用いた場合を説明したが、其体２３の素材としてとしてスポンジ、樹脂、紙材などを使用し、形状は図８に示すように側面視二等辺三角形の立体とし、この立体２４の前面及び背面に、先端が折り曲がった突片、つまり鉤片２４ａを無数に設け、この立体２４の下方に差し込み棒２５を設けてもよい。
【００２８】
さらに、他の実施形態として、蜘蛛の巣除去部の構造を、上記図８の其体（立体物）に代えて図９に示すように四角錘台２６の角錐部に鉤片２６ａを形成するもの、図１０に示すように球体２７の上半分に鉤片２７ａを形成するものであってもよい。さらにまた、図１１に示す側面視楕円形の柱体２８の側周部に鉤片２８ａを形成するもの、あるいは側面視円形の円柱体の側周部に鉤片を形成するもの、三角錘台の三角錘部の外斜面に鉤片を形成するもの等であってもよい。
【図面の簡単な説明】
【００２９】
【図１】この考案の一実施形態の蜘蛛の巣掻き取り器を示す外観斜視図である。
【図２】同実施形態蜘蛛の巣掻き取り器の蜘蛛の巣除去部に使用する面ファスナーシートを示す図である。
【図３】同実施形態の蜘蛛の巣掻き取り器の挟み具及び差し込み棒を説明しる図である。
【図４】同実施形態の同挟み具を構成する挟み片の内側を示す正面図である。
【図５】同実施形態蜘蛛の巣掻き取り器を用いて軒下の蜘蛛の巣を掻き取る場合を説明する図である。
【図６】同実施形態の蜘蛛の巣除去部に代えて使用する他の蜘蛛の巣除去部を示す側面図である。
【図７】同実施形態の蜘蛛の巣掻き取り器に使用する他の挟み具及び差し込み棒を説明する図である。
【図８】この考案の他の実施形態として、異なる蜘蛛の巣除去部を示す概略外観斜視図である。
【図９】この考案の他の実施形態として、さらに、異なる蜘蛛の巣除去部を示す概略外観斜視図である。
【図１０】この考案の他の実施形態として、さらに、異なる蜘蛛の巣除去部を示す概略外観斜視図である。
【図１１】この考案の他の実施形態として、さらに、異なる蜘蛛の巣除去部を示す概略外観斜視図である。
【符号の説明】
【００３０】
１                                操作棒
１−１、１−２、・・・、１−５      操作棒を構成するパイプ
１ａ                              パイプの先端
２                                蜘蛛の巣除去部
３                                基体
３ａ                              鉤片
３ｂ                              鉤片付きの面ファスナーシート
４                                挟み具
５                                差し込み棒
６、７                            挟み片
６ａ、７ａ                        挟み片の内面
８                                軸
９                                バネ
１０                              凸状線
１１                              溝部
１２                              ループ片付きの面ファスナー                          
【図１】
0003130327.tif 000003
【図２】
0003130327.tif 000004
【図３】
0003130327.tif 000005
【図４】
0003130327.tif 000006
【図５】
0003130327.tif 000007
【図６】
0003130327.tif 000008
【図７】
0003130327.tif 000009
【図８】
0003130327.tif 000010
【図９】
0003130327.tif 000011
【図１０】
0003130327.tif 000012
【図１１】
0003130327.tif 000013